(57)【要約】【課題】  複数枚の記録ディスクメディアにそれぞれヘッドをロードさせる場合に、ヘッド同士が干渉するのを防止できるようにする。【解決手段】  記録ディスクメディアの一例である磁気ディスクメディア４１をカートリッジケース２に複数収納する。そして、アクチュエータ６１ａ，６１ｂにより回転軸７２ａ，７２ｂを回転駆動し、スイングアーム６２ａ，６２ｂの先端に設けられた磁気ヘッド群６４ａ，６４ｂを開口部３ａ，３ｂを介してカートリッジケース２内にロードしたときには、下から２番目、４番目に位置する磁気ディスクメディア４１の両面に磁気ヘッド６３ａが配置されるようにするとともに、下から１番目、３番目、５番目に位置する磁気ディスクメディア４１の両面に磁気ヘッド６３ｂが配置されるようにする。【選択図】      図５
2006085808.tif 000002
【特許請求の範囲】
【請求項１】
フレキシブルな複数の記録ディスクメディアをカートリッジケース内に一体回転可能に収納した記録ディスクカートリッジの前記記録ディスクメディアに対しデータの記録および／または再生をヘッドにより行うディスクドライブであって、
前記ヘッドは前記記録ディスクメディアを挟む一対のヘッドユニットを単位として配設され、
互いに隣接する前記記録ディスクメディアに配設される前記各ヘッドユニットは、前記記録ディスクメディアの回転方向に互いにずらして配設されたことを特徴とするディスクドライブ。
【請求項２】
前記ヘッドユニットは、複数のヘッドユニットが一つの軸で回転支持されて成るヘッド群として配設され、このヘッド群を複数有することを特徴とする請求項１に記載のディスクドライブ。
【請求項３】
記録ディスクメディアを挟む一対のヘッドユニットを一つの軸で複数支持して成るヘッド群を複数有するディスクドライブによりデータの記録および／または再生が行われる記録ディスクカートリッジであって、
複数のフレキシブルな前記記録ディスクメディアと、
前記記録ディスクメディアを一体回転可能に保持する回転体と、
前記記録ディスクメディアおよび前記回転体を収容するカートリッジケースとを備え、
前記カートリッジケースは、前記複数のヘッド群に対応して前記各ヘッド群がロードされる開口部が形成されているとともに、これらの開口部を開閉するシャッタを備えることを特徴とする記録ディスクカートリッジ。
【発明の詳細な説明】
【技術分野】
【０００１】
本発明は、フレキシブルな記録ディスクメディアからのデータの記録および／または再生を行うディスクドライブおよび記録ディスクメディアを備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。そして、この記録ディスクカートリッジに用いる記録ディスクドライブでは、これら複数枚の磁気ディスクメディア毎にヘッドをロードさせ、このヘッドによりデータの記録および／または再生を行うようにしている。
【特許文献１】特開２００４−２２０１１号公報（段落００１１〜００３０、図３）
【発明の開示】
【発明が解決しようとする課題】
【０００４】
しかしながら、前記した特許文献１の磁気ディスクカートリッジは、複数の磁気ディスクメディア毎にデータの記録および／または再生を行うヘッドをそれぞれロードさせる必要があるため、互いに隣り合うヘッド同士の間隔が狭くなり、ヘッド同士が場合によっては、干渉してしまい、データの記録および／または再生を正確に行うことができない虞れがあるという問題がある。
【０００５】
そして、このような不具合を解消するために、磁気ディスクメディア同士の間隔を広げると、磁気ディスクメディアを収容する磁気ディスクカートリッジの厚みが増大するという問題がある。
【０００６】
このような背景に鑑みて本発明がなされたのであり、本発明は、複数枚の記録ディスクメディアにそれぞれヘッドをロードさせる場合でも、ヘッド同士が干渉するのを防止でき、データの記録および／または再生を正確に行えるようにしたディスクドライブおよび記録ディスクカートリッジを提供することを目的とする。
【課題を解決するための手段】
【０００７】
前記した課題を解決するため、本発明のディスクドライブは、フレキシブルな複数の記録ディスクメディアをカートリッジケース内に一体回転可能に収納した記録ディスクカートリッジの前記記録ディスクメディアに対しデータの記録および／または再生をヘッドにより行うディスクドライブであって、前記ヘッドは前記記録ディスクメディアを挟む一対のヘッドユニットを単位として配設され、互いに隣接する前記記録ディスクメディアに配設される前記各ヘッドユニットは、前記記録ディスクメディアの回転方向に互いにずらして配設されたことを特徴とするディスクドライブである。
【０００８】
このような構成により、記録ディスクメディアに対しデータの記録および／または再生を行う各ヘッドユニットを記録ディスクメディアの回転方向に互いにずらして配置することにより、各ヘッドユニットを記録ディスクメディアの回転方向と同一方向に配置した場合と比較して、各ヘッドユニット間の間隔を広げることができ、これら各ヘッドユニットを複数の記録ディスクメディアに対して円滑にロードさせることができる。
また、前記したディスクドライブにおいては、ヘッドユニットを、複数のヘッドユニットが一つの軸で回転支持されて成るヘッド群として配設し、このヘッド群を複数有することもできる。
【０００９】
また、本発明の記録ディスクカートリッジは、記録ディスクメディアを挟む一対のヘッドユニットを一つの軸で複数支持して成るヘッド群を複数有するディスクドライブによりデータの記録および／または再生が行われる記録ディスクカートリッジであって、
複数のフレキシブルな前記記録ディスクメディアと、前記記録ディスクメディアを一体回転可能に保持する回転体と、前記記録ディスクメディアおよび前記回転体を収容するカートリッジケースとを備え、前記カートリッジケースは、前記複数のヘッド群に対応して前記各ヘッド群がロードされる開口部が形成されているとともに、これらの開口部を開閉するシャッタを備えることを特徴とする記録ディスクカートリッジである。
【００１０】
このような構成により、ヘッド群を複数有するディスクドライブによりデータの記録および／または再生が行うときには、シャッタを開いて開口部を開口させることにより、複数のヘッド群を開口部を介して記録ディスクメディアに向けてロードさせることができる。また、データの記録および／または再生を行わないときには、シャッタを閉じることにより、カートリッジケース内に塵埃が侵入するのを防止することができる。
【発明の効果】
【００１１】
本発明によれば、複数のヘッド同士を干渉させることなく、記録ディスクメディアに対して円滑にロードさせることができ、これら複数のヘッドにより記録ディスクメディアに対しデータの記録および／または再生を正確に行うことができる。そして、ディスクメディア同士の間隔を広げる必要がなくなり、記録ディスクカートリッジの小型化を図ることができる。
【発明を実施するための最良の形態】
【００１２】
次に、本発明の実施形態について、適宜図面を参照しながら詳細に説明する。本実施形態においては、記録ディスクメディアの一例として磁気ディスクメディアを採用した場合について説明する。
【００１３】
図１は、一実施形態に係る磁気ディスクカートリッジと磁気ディスクドライブを示す斜視図であり、図２は、一実施形態に係る磁気ディスクカートリッジの分解斜視図である。図３は、一実施形態に係る磁気ディスクカートリッジの外観斜視図の（ａ）シャッタを閉じた状態、および（ｂ）シャッタを開けた状態を示し、図４は、上プレートの内面を示す斜視図であり、図５は、磁気ディスクドライブに装填した磁気ディスクカートリッジの図２（ｂ）におけるＶ−Ｖ断面図であり、図６は、図３（ｂ）におけるVI−VI方向からみた部分拡大断面図である。図７は、磁気ディスクメディアの積層構造を示す分解斜視図である。なお、以下の説明において、上下は、磁気ディスクカートリッジの典型的な使用状態を基準とし、便宜上磁気ディスクメディアの面に垂直な方向を上下と称する。
【００１４】
図１に示すように、磁気ディスクドライブ６０は、例えば上面６０ａ、下面６０ｂ、前面６０ｃ、後面６０ｄ、左側面６０ｅ、右側面６０ｆを有し、前面６０ｃには磁気ディスクカートリッジ１が挿入される挿入口６０ｇが開口して設けられている。また、磁気ディスクドライブ６０の下面６０ｂ側には、後記するスピンドル６５が設けられている。さらに、スピンドル６５の左右両側には、後記する磁気ヘッド６３ａ，６３ｂを駆動する左右のアクチュエータ６１ａ，６１ｂが配置されている。
【００１５】
また、左側のアクチュエータ６１ａは、上下方向に延びた回転軸７２ａと、一端側が回転軸７２ａに取り付けられて他端側が二又状に分岐して延びたスイングアーム６２ａ，６２ａと、これらスイングアーム６２ａ，６２ａの他端側に磁気ディスクメディア４１を挟んで互いに対向して設けられた２対(合計４個）の磁気ヘッド６３ａ，６３ａ，…とにより構成されている。そして、これら２対の磁気ヘッド（２個の磁気ヘッドユニット）６３ａ，６３ａ，…は、左側の磁気ヘッド群６４ａを構成している。
【００１６】
また、右側のアクチュエータ６１ｂは、上下方向に延びた回転軸７２ｂと、一端側が回転軸７２ｂに取り付けられて他端側が二又状に分岐して延びたスイングアーム６２ｂ，６２ｂ，６２ｂと、これらスイングアーム６２ｂ，６２ｂ，６２ｂの他端側に磁気ディスクメディア４１を挟んで互いに対向して設けられた３対(合計６個）の磁気ヘッド６３ｂ，６３ｂ，…とにより構成されている。そして、これら３対（３個の磁気ヘッドユニット）の磁気ヘッド６３ｂ，６３ｂ，…は、右側の磁気ヘッド群６４ｂを構成している。
【００１７】
図２に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製の回転体であるセンタコア４２が貼り付けられている。そして、センタコア４２同士がスペーサ４３，４３′により係合して５枚の磁気ディスクメディア４１（この積層・一体化された磁気ディスクメディア４１をディスクスタック４０とする）を一体に回転するようになっている。
【００１８】
各インナプレート２０は、平板状の主プレート２１の外周縁に上下のプレートと当接するリブ２２が形成されている。インナプレート２０の図２における左側の一部は、磁気ヘッド６３ａ（図１、図５参照）が磁気ディスクメディア４１上に移動しやすいように切欠２３ａを形成している。また、インナープレート２０の図２における右側（右手前側）の一部にも、磁気ヘッド６３ｂ（図１、図５参照）が磁気ディスクメディア４１上に移動しやすいように切欠２３ｂを形成している。これら切欠２３ａ，２３ｂの部分は、前記したリブ２２が形成されておらず、そのためインナプレート２０を積み重ねると、図３（ａ）に示すようにカートリッジケース２の側面に開口部３ｂ，３ｂ′が形成される。
【００１９】
この開口部３ｂ，３ｂ′は、ディスクスタック４０と同軸に回動するシャッタ４ａ，４ｂにより開閉される。シャッタ４ａ，４ｂは、図２に示すように下ロータ５１と上ロータ５２とを組み合わせることにより構成されている。
【００２０】
次に、磁気ディスクカートリッジ１を構成する各部材についてより詳細に説明する。
下プレート１０は、主として略正方形の主プレート１１の外周縁に、インナプレート２０のリブ２２の下面側と当接するリブ１２と、側壁１３が形成されて構成されている。側壁１３は、主プレート１１の１つの角（図２においては手前側の角）から所定の範囲、例えば一辺の３分の１程度の範囲に立設されており、およそインナプレート２０を積み重ねた高さで形成されている。
【００２１】
図２中の下プレート１０における左奥側の一方の一辺１１ａから主プレート１１の中心に向かう扇形の部分は、一段低くなった一方の凹部１４ａを形成し、外周縁にはリブ１２が形成されずに開口１４となっている。これにより、各磁気ヘッド６３ａがカートリッジケース２内にロードすることを容易にしている。
【００２２】
主プレート１１の側壁１３に連なるもう一方の一辺１１ｂ（図２における右手前側の一辺）から主プレート１１の中心に向かう扇形の部分は、一段低くなった凹部１４ａ′を形成し、外周縁にはリブ１２が形成されずに開口１４′となっている。これにより、各磁気ヘッド６３ｂがカートリッジケース２内にロードすることを容易にしている。
【００２３】
主プレート１１の側壁１３に連なる他方の一辺１１ｃ（図１における左手前側の一辺）の中央略３分の１の範囲は、後記する下ロータ５１のギヤ５１ｆが露出できるようにリブ１２が形成されずに開口１５となっている。また、当該他方の一辺１１ｃ側の側壁１３の外側には、開口１５に連なって下プレート１０の外周に沿った溝１３ａが形成されている。溝１３ａは、磁気ディスクドライブ６０のシャッタオープンギヤ６７（図３（ａ）参照）がギヤ５１ｆに係合すべく図３（ａ）の矢印で示す方向へロードして開口１５へ入り込む通路となっている。
【００２４】
前記したリブ１２は、主プレート１１の外周縁のうち、側壁１３、開口１４，１４′，１５を除く全周にわたり、上方へ突出するように形成されている。
【００２５】
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
【００２６】
また、主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図５参照）と係合することで、下ロータ５１を磁気ディスクメディア４１と同軸で回動自在に支持する。
【００２７】
また、主プレート１１の四つの角部には上下に貫通して、雌ネジが形成されたネジ孔１９が形成されている。
【００２８】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、図２における左奥側には前記した切欠２３ａが扇形に形成されている。また、円弧部２４に連なる一辺（図２における右手前側）には前記した切欠２３ｂが扇形に形成されている。前記したリブ２２は、主プレート２１の外周縁のうち、円弧部２４および切欠２３ａ，２３ｂを除く全周にわたり、上下に突出して形成されている。そして、主プレート２１の中央には、上方のセンタコア４２を露出して、下方のセンタコア４２との連結を可能にするための中央開口部２１ｃが形成されている。
【００２９】
また、主プレート２１の３つの角部には、上下に貫通してネジ９１のネジ軸部９１ａが挿通される孔２９が形成されている。
【００３０】
上プレート３０は、下プレート１０とおよそ対称に形成されている。図４に示すように、上プレート３０は、およそ正方形の主プレート３１に、前記した凹部１４ａ，１４ａ′に対応する凹部３４ａ，３４ａ′と、リブ１７に対応するリブ３７と、下ロータ支持溝１８に対応する上ロータ支持溝３８が形成されている。なお、主プレート３１の中央に開口は形成されず、側壁１３に対応する側壁も形成されていない。
【００３１】
そして、主プレート３１の外周縁には、下方に突出するリブ３２が、凹部３４ａ，３４ａ′を除く全周にわたって形成されている。また、主プレート３１の四つの角部には、ネジ９１のネジ軸部９１ａが貫通する孔３９が形成されている。
【００３２】
下ロータ５１は、およそ磁気ディスクメディア４１と同じリング状の下ロータプレート５１ａに中央開口部５１ｃ、切欠５１ｅ，５１ｅ′、リブ５１ｄ、およびギヤ５１ｆが形成され、下ロータプレート５１ａの外周縁にシャッタプレート５１ｂ，５１ｂ′が立設されて構成されている。中央開口部５１ｃは、リブ１７に外嵌する円形に形成され、切欠５１ｅ，５１ｅ′は、凹部１４ａ，１４ａ′に対応する扇形に形成される。また、リブ５１ｄは、下ロータ支持溝１８に対応して下ロータプレート５１ａの下面の外周縁に下方に向けて設けられている。
【００３３】
シャッタプレート５１ｂは、開口部３ｂ，３ｂ′（図３（ａ）参照）とディスクスタック４０とを遮断する遮蔽部材であり、切欠５１ｅ，５１ｅ′に隣接して下ロータプレート５１ａの外周縁に沿って立設されている。ギヤ５１ｆは、シャッタ４ａ，４ｂ（図３（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００３４】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４ａ，３４ａ′に対応する切欠５２ｅ，５２ｅ′と、上ロータ支持溝３８に対応するリブ５２ｄとが形成されている。また、上ロータプレート５２ａの外周縁の切欠５２ｅ′に隣接する部分には、下ロータ５１のシャッタプレート５１ｂに対応して、シャッタ溝５２ｂが形成されている。シャッタ溝５２ｂと、シャッタプレート５１ｂの上端縁が係合することで、下ロータ５１と上ロータ５２は一体に回動するようになっている。
【００３５】
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図４参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００３６】
図６に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。ライナ４９は、例えばポリエステル繊維やレーヨン／ポリエステル混紡繊維などの不織布などからなる。
【００３７】
次に、下プレート１０と、インナプレート２０と、上プレート３０の積層構造について説明する。
【００３８】
下プレート１０のリブ１２は、図６に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図２参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
【００３９】
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００４０】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００４１】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００４２】
次に、磁気ディスクメディア４１およびその積層構造について説明する。
磁気ディスクメディア４１は、例えばポリエステルなどの樹脂シートに磁性塗料を両面に塗布したものである。
【００４３】
図７に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００４４】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
【００４５】
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００４６】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００４７】
なお、最上層のセンタコア４２は、上側に回転係止すべきセンタコアが無いため、その上には下側にのみピン４３ｂを突出させた、厚みの薄いトップスペーサ４３′が配置される。
【００４８】
以上のように積層された磁気ディスクメディア４１、つまりディスクスタック４０は、連結軸４４、ベアリングボール４５、圧縮コイルばね４６、およびセンタプレート４７により、安定した回転支持がなされている。
【００４９】
図６に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブ６０のスピンドル６５がロードできるように開いている。
【００５０】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００５１】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００５２】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブ６０のスピンドル６５側へ付勢している。これにより、センタコア４２は、カートリッジケース２の中でがたつくことがなく、磁気ディスクメディア４１の回転時の振れが防止される。
【００５３】
次に、磁気ディスクドライブ６０について説明する。
磁気ディスクカートリッジ１に対し、データの記録、再生を行う磁気ディスクドライブ６０は、図５に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図５、図６に示すように、各磁気ディスクメディア４１は、下ロータ５１とインナプレート２０、上下のインナプレート２０同士、またはインナプレート２０と上ロータ５２の各間に形成される空間の中央に位置する。
【００５４】
磁気ディスクドライブ６０の磁気ヘッド６３ａ，６３ｂは、スイングアーム６２ａ，６２ｂの先端に設けられている。磁気ヘッド６３ａ，６３ｂは、各磁気ディスクメディア４１の両面に配置されている。
【００５５】
以上のような磁気ディスクカートリッジ１は、図３（ａ）に示すように、不使用時は、シャッタ４ａ，４ｂを図中左回りに回動させて開口部３ｂ，３ｂ′を閉塞しておくことで、内部への塵埃の侵入を防止することができる。そして、使用時には、図３（ｂ）に示すように磁気ディスクドライブ６０に装填する際に、磁気ディスクドライブ６０のシャッタオープンギヤ６７が、溝１３ａに嵌って案内されてギヤ５１ｆと噛合し、シャッタ４ａ，４ｂを図中右回りへ回動させる。
【００５６】
そして、スピンドル６５が回転することで、ディスクスタック４０が回転する。その後、左右のアクチュエータ６１ａ，６１ｂにより駆動されることでスイングアーム６２ａ，６２ｂが回動して、磁気ヘッド６３ａ，６３ｂが磁気ディスクメディア４１，４１，…の上に移動される。
【００５７】
ここで、図５に示すように、左側のアクチュエータ６１ａの２つのスイングアーム６２ａ，６２ａと右側のアクチュエータ６１ｂの３つのスイングアーム６２ｂ，６２ｂ，６２ｂは、上下方向に対して１枚の磁気ディスクメディア４１を隔てて交互に（互い違いとなる位置に）配置されて回転軸７２ａ，７２ｂに取り付けられている。このため、アクチュエータ６１ａ，６１ｂにより回転軸７２ａ，７２ｂを回転駆動し、スイングアーム６２ａ，６２ｂの先端に設けられた磁気ヘッド群６４ａ，６４ｂを開口部３ｂ，３ｂ′を介してカートリッジケース２内にロードしたときには、下から２番目、４番目に位置する磁気ディスクメディア４１の両面に磁気ヘッド６３ａが配置されるとともに、下から１番目、３番目、５番目に位置する磁気ディスクメディア４１の両面に磁気ヘッド６３ｂが配置される。
【００５８】
従って、本実施の形態によれば、各磁気ヘッド６３ａ，６３ｂ全てをスイングアーム６２ａ，６２ｂを介して同一の回転軸７２ａ（７２ｂ）に取り付けた場合と比較して、各磁気ヘッド６３ａ間および各磁気ヘッド６３ｂ間の間隔を広げることができ、これら各磁気ヘッド６３ａ同士および各磁気ヘッド６３ｂ同士を干渉させることなく、各磁気ヘッド６３ａ，６３ｂを複数の記録ディスクメディア４１に対して円滑にロードさせることができ、磁気ディスクメディア４１に対しデータの記録および／または再生を正確に行うことができる。そして、磁気ディスクメディア４１同士の間隔を広げる必要がなくなり、磁気デスクカートリッジ１の小型化を図ることができる。
【００５９】
また、磁気ヘッド６３ａ，６３ｂで、磁気ディスクメディア４１にデータを記録する場合には、図示せぬ制御回路により磁気ヘッド６３ａ，６３ｂへ信号を送ることで磁気ディスクメディア４１にデータが記録され、磁気ディスクメディア４１からデータを再生する場合には、磁気ディスクメディア４１上の磁界変化を磁気ヘッド６３ａ，６３ｂで検知して、信号が出力される。
【００６０】
このとき、ライナ４９が適宜磁気ディスクメディア４１に触れることで磁気ディスクメディア４１上の塵埃が除去される。
【００６１】
磁気ディスクカートリッジ１の使用後は、磁気ヘッド６３ａ，６３ｂがカートリッジケース２からアンロードした後、磁気ディスクカートリッジ１をイジェクトすることで、シャッタオープンギヤ６７によりギヤ５１ｆが駆動されてシャッタ４ａ，４ｂが開口部３ｂ，３ｂ′を閉じる。
【００６２】
このように磁気ディスクカートリッジ１は、複数の磁気ディスクメディア４１を有することから、複数の磁気ヘッド６３ａ，６３ｂで同時にデータにアクセスすることで、データ転送を高速で行うことができる。
【００６３】
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
【００６４】
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００６５】
以上、本発明の実施形態について説明したが、本発明は前記した実施形態に限定されることなく適宜変形して実施することが可能である。例えば、実施形態においては、カートリッジケース２に２つの開口部３ｂ，３ｂ′を設け、これら２つの開口部３ｂ，３ｂ′にそれぞれ磁気ヘッド群６４ａ，６４ｂをロード、アンロードさせる場合を例に挙げて説明したが、本発明はこれに限らず、例えば図８に示す変形例のように、磁気ディスクカートリッジ１′に開口部３′を１個設け、この開口部３′を介して磁気ディスクドライブ６０′の磁気ヘッド群６４ａ′，６４ｂ′をロード、アンロードさせるようにしてもよい。
【００６６】
また、例えば、実施形態においては、磁気ヘッド群６４ａ，６４ｂを複数の磁気ヘッド６３ａ，６３ｂからなるものとして説明したが、本発明はこれに限らず、磁気ヘッド群６４ａ，６４ｂをそれぞれ一対の磁気ヘッドユニットにより構成してもよい。
【００６７】
また、例えば、実施形態においては、記録ディスクメディアとして磁気ディスクメディア４１を適用したが、光によりデータを記録する光ディスクメディアの場合にも同様に適用することができる。
【００６８】
また、実施形態においては、下プレート１０、インナプレート２０、上プレート３０をネジ９１により締結固定したが、接着、溶着により一体に固定することも可能である。
【図面の簡単な説明】
【００６９】
【図１】一実施形態に係るディスクドライブおよび磁気ディスクカートリッジを示す斜視図である。
【図２】一実施形態に係る磁気ディスクカートリッジの分解斜視図である。
【図３】一実施形態に係る磁気ディスクカートリッジの外観斜視図の（ａ）シャッタを閉じた状態、および（ｂ）シャッタを開けた状態を示す。
【図４】上プレートの内面を示す斜視図である。
【図５】磁気ディスクドライブに装填した磁気ディスクカートリッジの図３（ａ）におけるＶ−Ｖ断面図である。
【図６】磁気ディスクドライブに装填した磁気ディスクカートリッジの図４（ａ）におけるVI−VI部分拡大断面図である。
【図７】磁気ディスクメディアの積層構造を示す分解斜視図である。
【図８】本発明の変形例に係るディスクドライブおよび磁気ディスクカートリッジを示す斜視図である。
【符号の説明】
【００７０】
１，１′  磁気ディスクカートリッジ
２      カートリッジケース
３b，３ｂ′  開口部
４ａ，４ｂ  シャッタ
２３ａ，２３ｂ，５１ｅ，５１ｅ′  切欠
４０    ディスクスタック
４１    磁気ディスクメディア
４２    センタコア（回転体）
４３    スペーサ
４４    連結軸
４５    ベアリングボール
４７    センタプレート
４９    ライナ
５１    下ロータ
５２    上ロータ
６０，６０′  磁気ディスクドライブ
６１ａ，６１ｂ  アクチュエータ
６２ａ，６２ｂ  スイングアーム
６３ａ，６３ｂ  磁気ヘッド
６４ａ，６４ａ′，６４ｂ，６４ｂ′  磁気ヘッド群
６５    スピンドル
【図１】
2006085808.tif 000003
【図２】
2006085808.tif 000004
【図３】
2006085808.tif 000005
【図４】
2006085808.tif 000006
【図５】
2006085808.tif 000007
【図６】
2006085808.tif 000008
【図７】
2006085808.tif 000009
【図８】
2006085808.tif 000010